(57)【要約】
【課題】コンピュータシステム内に拡張インターフェイスを搭載するべく、回路を具えるメモリスティックを提供する。
【解決手段】主にシリコンディスクカード１及びUSB転換構造より構成し、該シリコンディスクカード１は標準規格のメモリスティック伝送インターフェイス及びマイクロコントローラ１３とリライタブルタイプのメモリを具有する回路板１２を設け、該USB転換構造には該シリコンディスクカード１が挿しこまれる一つ以上のスロット及びUSBインターフェイス２１を設け、該USBインターフェイス２１で外部の装置と連結できるようにし、転換構造はシリコンディスクカード１上のマイクロコントローラ１３によってメモリスティック伝送インターフェイスを支援するか、或いはUSB伝送インターフェイスを支援するかを、自動で探索及び判断するようにし、データがメモリスティックのリライタブルタイプのメモリにアクセスできるようにする。
【選択図】　　　　図１
0003099113.tif 000002
【実用新案登録請求の範囲】
【請求項１】
　シリコンディスクカード及び転換装置を含み、
　前記シリコンディスクカードには第一伝送インターフェイス及びマイクロコントローラ及びリライタブルタイプのメモリの回路板を具有し、
　前記マイクロコントローラには、第一バスインターフェイス回路を含み、前記転換構造には、シリコンディスクカードを受けるスロット及び、外部装置との連結を行う第二伝送インターフェイスとが設けられており、
　前記シリコンディスクカードのマイクロコントローラには、第二バスインターフェイス回路及びインターフェイス探索コントロールとスイッチ回路が設けられており、データがリライタブルタイプのメモリにアクセスできるように、該インターフェイス探索コントロールとスイッチ回路には第一伝送インターフェイスを支援するのか、それとも第二伝送インターフェイスを支援するのかを自動で探索及び判断する機能を具えていることを特徴とする回路を具えるメモリスティック。
【請求項２】
　前記シリコンディスクカードには標準のメモリスティック伝送インターフェイスである第一伝送インターフェイスを具有し、マイクロコントローラは少なくともメモリスティックバスインターフェイスである第一バスインターフェイス回路及びデータ伝送バッファユニット、及び電源転換回路，アクセスコントロールインターフェイス及びコードストレージメモリが搭載されていることを特徴とする請求項１記載の回路を具えるメモリスティック。
【請求項３】
　前記回路を具えるメモリスティックには、伝送インターフェイス、及びマイクロコントローラとリライタブルタイプのメモリを備える回路板が設けられており、
　前記マイクロコントローラにはメモリスティックバスインターフェイス回路が設けられており、前記スイッチ回路のスイッチにはメモリスティックを受けるスロット及び、外部装置と連結できるＵＳＢ伝送インターフェイスとが設けられており、
　前記メモリスティックのマイクロコントローラにはＵＳＢバスインターフェイス回路、並びにインターフェイス探索コントロールとスイッチ回路が設けられており、該インターフェイス探索コントロールとスイッチ回路には、データがリライタブルタイプのメモリにアクセスするべく、自動でメモリスティック伝送インターフェイスを支援するか、或いはＵＳＢ伝送インターフェイスを支援するかを探索並びに判断する機能を具有することを特徴とする回路を具えるメモリスティック。
【考案の詳細な説明】
【技術分野】
【０００１】
　本考案は回路を具えるメモリスティックに係り、特にUSB転換構造がメモリスティックに結合されて構成されている、ダブルのインターフェイス回路を具えるメモリスティックに関わる。
【背景技術】
【０００２】
　メモリスティックは既に広く使用されているものであり、これはリライタブルタイプのと、コントロールチップが外殻内に被覆されている小型で細長いガム型形状のメモリカード（シリコンディスクカード）である。
　そのサイズとインターフェイスにおいては、SONY(株)が2000年に発表した新型のメモリカードが標準となっている。このメモリスティック(例えば、特許文献１)は、体積が小さくて軽量、アクセスのスピードが速く、容量が大きいなどの多数の利点があり、SONYグループの提供する各種電子機器上に用いられており、デジタルによるデータ保存技術が進む中、従来主流であったフレキシブル磁気ディスクや光ディスクなどのメモリ媒体に取って代わるものとなっている。
【０００３】
　しかし、上述に述べるメモリスティックは、メモリスティック専用のインターフェイスのみが適合するのであり、SONY(株)は自らが提供する新型電子機器を対象に開発を行っているため、消費者がメモリスティックを一般のメモリスティックインターフェイスを具有しない外部のシステム（例えば卓上型及びノートブック型パソコン等）に対して使用したくても、応用できないといった欠点があり、こうなるとデータ伝送やデータ交換が行えなくなる。対処法としては、上述のようなデータ関連機器に、更にコントローラを具えたメモリスティックリーダ（別称：シリコンディスクドライバ）や、スイッチカードなどを買い具えなければならず、データ伝送やデータの交換が非常に不便であるといった問題点があった。
【特許文献１】特開２０００−３２２５１８号公報
【考案の開示】
【考案が解決しようとする課題】
【０００４】
　本考案は、上述の欠点に鑑みなされたもので、解決しようとする課題は、USBインターフェイスが具有する、伝送が速く、設置が容易、ホットスワップが可能、且つ多種の異なる周辺装置が支援できる、などの利点を生かしつつ、現在広く使用されているコンピュータシステム内に拡張インターフェイスを搭載するべく、本考案の回路を具えるメモリスティックを提供することである。
【課題を解決するための手段】
【０００５】
　前記課題を解決するために、請求項１の考案は、シリコンディスクカード及び転換装置を含み、前記シリコンディスクカードには第一伝送インターフェイス及びマイクロコントローラ及びリライタブルタイプのメモリの回路板を具有し、前記マイクロコントローラには、第一バスインターフェイス回路を含み、前記転換構造には、シリコンディスクカードを受けるスロット及び、外部装置との連結を行う第二伝送インターフェイスとが設けられており、前記シリコンディスクカードのマイクロコントローラには、第二バスインターフェイス回路及びインターフェイス探索コントロールとスイッチ回路が設けられており、データがリライタブルタイプのメモリにアクセスできるように、該インターフェイス探索コントロールとスイッチ回路には第一伝送インターフェイスを支援するのか、それとも第二伝送インターフェイスを支援するのかを自動で探索及び判断する機能を具えていることを特徴とする回路を具えるメモリスティックである。
　請求項２の考案は、前記シリコンディスクカードには標準のメモリスティック伝送インターフェイスである第一伝送インターフェイスを具有し、マイクロコントローラは少なくともメモリスティックバスインターフェイスである第一バスインターフェイス回路及びデータ伝送バッファユニット、及び電源転換回路，アクセスコントロールインターフェイス及びコードストレージメモリが搭載されていることを特徴とする請求項１記載の回路を具えるメモリスティックである。
　請求項３の考案は、前記回路を具えるメモリスティックには、伝送インターフェイス、及びマイクロコントローラとリライタブルタイプのメモリを備える回路板が設けられており、前記マイクロコントローラにはメモリスティックバスインターフェイス回路が設けられており、前記スイッチ回路のスイッチにはメモリスティックを受けるスロット及び、外部装置と連結できるＵＳＢ伝送インターフェイスとが設けられており、前記メモリスティックのマイクロコントローラにはＵＳＢバスインターフェイス回路、並びにインターフェイス探索コントロールとスイッチ回路が設けられており、該インターフェイス探索コントロールとスイッチ回路には、データがリライタブルタイプのメモリにアクセスするべく、自動でメモリスティック伝送インターフェイスを支援するか、或いはＵＳＢ伝送インターフェイスを支援するかを探索並びに判断する機能を具有することを特徴とする回路を具えるメモリスティックである。
【０００６】
　すなわち、上記各考案は、主にシリコンディスクカード及びUSB転換構造より構成し、該シリコンディスクカードは標準規格のメモリスティック伝送インターフェイス及びマイクロコントローラとリライタブルタイプのメモリを具有する回路板を設け、該USB転換構造には少なくとも一つのスロット及びUSBインターフェイスを設け、該スロットは該シリコンディスクカードが挿しこまれるものとし、該USBインターフェイスで外部の装置と連結できるようにし、転換構造はシリコンディスクカード上のマイクロコントローラによってメモリスティック伝送インターフェイスを支援するか、或いはUSB伝送インターフェイスを支援するかを、自動で探索及び判断するようにし、データがメモリスティックのリライタブルタイプのメモリにアクセスできることを最も主要な特徴とする。
【考案の効果】
【０００７】
　本考案によると、シリコンディスクカードがコストの低いUSB転換構造で転換され、メモリスティックインターフェイス及びUSBインターフェイスの外部システムに対して連結を行うことで、メモリスティック及びUSBを支援する機能を具有するようになるという利点がある。
【考案を実施するための最良の形態】
【０００８】
　シリコンディスクカードは標準規格のメモリスティック伝送インターフェイス及びマイクロコントローラとリライタブルタイプのメモリを具有する回路板を設け、該USB転換構造には少なくとも一つのスロット及びUSBインターフェイスを設け、該スロットは該シリコンディスクカードが挿しこまれるものとし、該USBインターフェイスで外部の装置と連結できるようにし、転換構造はシリコンディスクカード上のマイクロコントローラによってメモリスティック伝送インターフェイスを支援するか、或いはUSB伝送インターフェイスを支援するかを、自動で探索及び判断するようにし、データがメモリスティックのリライタブルタイプのメモリにアクセスできるようにし、メモリスティック及びUSBを支援する機能を具有しメモリスティックを更に実用的なものとすることを実現した。
【実施例】
【０００９】
　本考案の実施例を図面に沿って説明するが、電子回路を具えるメモリスティック及びその転換装置は、図１に示すように、主にシリコンディスクカード１と転換装置２とより構成される。
　このシリコンディスクカード１は、コントロールチップが外殻内に被覆されている小型で細長いガム型形状のメモリカード（シリコンディスクカード）であり、本体を含み、該本体の適当な位置にはメモリスティック標準のメモリスティック伝送インターフェイスである第一伝送インターフェイス１１が設けられており、且つ該本体内部には回路板１２（ＰＣＢ）が設けられており、該回路板上にはマイクロコントローラ１３及び複数のリライタブルタイプのメモリ１４が設けられており、表面粘着技術により、該回路板１２上に溶接固定されている。
　該マイクロコントローラ１３は少なくともメモリスティックバスインターフェイスである第一バスインターフェイス回路１３１及びデータ伝送バッファ１３２が搭載されており、アクセスコントロールインターフェイス及びコードストレージメモリなども含まれるが、これらについては公知の構成であるため、詳しい説明は省略する。
　該転換構造２には、少なくとも一つのシリコンディスクカードインターフェイスのスロット、及び、シリアル・インターフェース規格のＵＳＢ(Universal Serial Bus)伝送インターフェイスである第二伝送インターフェイス２１を含み、該スロットには上述のシリコンディスクカードが挿し込まれ、該転換構造２の第二伝送インターフェイス２１とコンピュータシステム及び外部のＵＳＢ拡張インターフェイスのシステム連結用に利用される。
【００１０】
　本考案の実施例の主な特徴としては、該シリコンディスクカード１のマイクロコントローラ１３で、第一バスインターフェイス回路１３１、或いは第二バスインターフェイス回路１３４が自動探索され、並びに、それらの支援の自動切換えが行われるべく、第二バスインターフェイス回路１３４、及びインターフェイス探索コントロールとスイッチ回路１３５が設けられており、よって該マイクロコントローラ１３にはメモリスティックインターフェイスかＵＳＢインターフェイスかを探索する自動探索、及びスイッチ機能が設けられて、メモリスティック１のマイクロコントローラ１３が第一バスインターフェイス回路１３１か、第二バスインターフェイス回路１３４かを探索すると、自動で回路板内の回路や相関部が切換えられ、メモリスティック１の第一伝送インターフェイス或いは第二伝送インターフェイスのデータ伝送が支援され、外部データがリライタブルタイプのメモリ１４にアクセスすることに成功する。
　こうすることでメモリスティックとＵＳＢの両者のインターフェイス伝送機能を具有するシリコンディスクカードが実現する。
【００１１】
　図２に示すように、探索とコントローラ並びにスイッチ回路は、メモリスティック１が公知でもあったコントローラの読み取り器、或いはスイッチカード内のコントロールチップの機能を、メモリスティック１内に整合し、メモリスティック１が少なくとも二種類の異なるシステムのインターフェイス回路を具有することとなり、これらのインターフェイス回路を切り替えるためにＣＬＫ、ＳＣＬＫ、ＳＤＩＯ，Reserved１、Reserved２などの異なる機能のシグナル端子が含まれる。
　また本考案のダブルインターフェイスメモリスティック１は、Reserved１及びReserved２の二組のシグナルでUSBシステムインターフェイスのD＋シグナルとD−シグナルと連結させるものとし、SCLKシグナルを探索システム端末として、第一バスインターフェイス１３１を採用するか、第二バスインターフェイス１３４を採用するかを決定し、モードを確認した後、シグナルを発してシグナルスイッチ回路３６をコントロールする。
【００１２】
　図３，４に示すように、電源が回路を具えるメモリスティック１を起動させるとき、該マイクロコントローラ１３はインターフェイス探索コントロールとスイッチ回路１３５により、探索されたシステムの種類により、即時自動で適切なシステムインターフェイス回路モードを起動させる。システムのインターフェイス回路が起動した後、該マイクロコントローラ１３は該システムのインターフェイス回路の標準規格に基づき、伝送する指令コードを受け、コントロール及び処理を行い、適切なフィードバックを行う。例えばインターフェイス探索コントロールとスイッチ回路１３５が第一バスモードである時、メモリスティック１標準の動作循環モードに入り、即ち第一バス１３１を選択して、バスアイドル１３７を経てメモリスティック指令を出し、該指令を処理してバスアイドル１３７にフィードバックする。またインターフェイス探索コントロールとスイッチ回路１３５が探索したシステム回路が第二バスモードであるとき、USBインターフェイス標準の動作循環モードに入り、第二バス１３４を選択して、バスアイドル１３８を経てUSB指令を発し、該指令を処理して該バスアイドル１３８にフィードバックする。
【図面の簡単な説明】
【００１３】
【図１】本考案の実施例における制御回路のブロックチャートである。
【図２】本考案の実施例における、探索、コントロール、スイッチの判断回路のブロックチャートである。
【図３】本考案の実施例における、探索、スイッチのフローチャートである。
【図４】本考案の実施例における配線図である。
【符号の説明】
【００１４】
１　シリコンディスクカード
１２　回路板
１３　マイクロコントローラ
１３１　第一バス（メモリスティックバス）
１３２　データ伝送バッファ
１３３　電源転換回路
１３４　第二バス（ＵＳＢバス）
１３５　インターフェイス探索コントロールとスイッチ回路
１３６　シグナルスイッチ装置
１３７，１３８　バスアイドル
１４　リライタブルタイプのメモリ
２　転換構造
２１　第二伝送インターフェイス（ＵＳＢ伝送インターフェイス）
【図１】
0003099113.tif 000003
【図２】
0003099113.tif 000004
【図３】
0003099113.tif 000005
【図４】
0003099113.tif 000006